(57)【特許請求の範囲】
【請求項１】
直管型の光源用の取付具に装着される一対の口金と、該一対の口金の間に保持される直管型の光源とを備えてなる照明装置において、
前記光源は、筒形状の外管体と、該外管体の内部に保持され、一方の面に指向性のある光を出射する発光体が実装された基板とを備え、
前記一対の口金による前記光源の保持状態を、前記発光体が発する光の出射方向を照射したい方向に一致させるべく前記外管体を前記一対の口金に対して相対回転させて変更可能で、且つ、該照射したい方向に一致させた状態にて前記光源を前記一対の口金に固定可能とする装着手段を備え、
前記外管体は、端部に閉止部を有し、
前記閉止部は、前記一対の口金に対向する側の面に、前記一対の口金が有する電極に電気的に接続される円弧形状を有する接点が形成されていることを特徴とする照明装置。
【請求項２】
前記装着手段は、前記一対の口金及び外管体の一方に固定された突出形状の屈曲部を有する弾性体と、他方に前記屈曲部に係合可能なように形成された複数の凹部とを備えることを特徴とする請求項１記載の照明装置。
【請求項３】
前記装着手段は、前記一対の口金及び外管体の一方に他方へ向けて突出するように設けられた凸部と、他方に前記凸部に嵌合可能に設けられた凹部とを備えることを特徴とする請求項１記載の照明装置。
【請求項４】
前記外管体及び一対の口金は円筒形状を有しており、前記装着手段は、前記外管体の両端部の外周面に環状に形成された溝と、前記一対の口金の内周面に形成された前記溝に係合する係合突起とを備え、前記溝は、周方向の所定角度位置に深溝部を有することを特徴とする請求項１記載の照明装置。
【発明の詳細な説明】
【技術分野】
【０００１】
本発明は、既存の直管型の光源用の取付具に、該取付具の種類の如何に係らず装着することができる照明装置に関する。
【背景技術】
【０００２】
従来、室内又は屋外の照明用の光源として蛍光灯が多用されている。一般に使用されている直管型蛍光灯は、放電ガスを内蔵し、蛍光体が内面に塗布されたガラス管と、該ガラス管の両端に設けられ、電源に接続するための２本の電極ピンを夫々有する２つの口金とを備えている。直管型蛍光灯は、両端の電極ピンを取付器具のソケット（取付具）のピン穴に差し込むことにより、取付器具に固定されると共に、商用電源に接続され、電源投入により点灯されるように構成されている。
【０００３】
近年、消費電力を増加させることなく一方向の明るさを増すために、光を反射する反射手段を有する蛍光灯、例えば、ガラス管の内周面と蛍光体との間に反射膜をコーティングした蛍光灯が販売されている。このような蛍光灯は、反射膜がコーティングされた側が光を出射したい方向と逆側になるように取付器具に装着する必要がある。
【０００４】
ところが、従来の蛍光灯は全角度均等に光を発するため、蛍光灯の電極ピンを差し込むべく取付器具のソケットに設けられたピン穴の配置は、取付器具の種類により異なっている。例えば、直管型蛍光灯用の取付器具の場合、取付器具のソケットの２つのピン穴は、照射方向と一致する方向、直交する方向又は４５°の角度をなす方向に並設して設けてある。このため、反射手段を有する蛍光灯が発する光の出射方向は、取付器具のソケットのピン穴の配置に依存して、意図した方向とは異なる方向に出射してしまい、本来照射したい方向が暗くなるという問題が生じる虞があった。
【０００５】
また、近年、ＬＥＤの発光効率の上昇に伴い、低消費電力かつ長寿命であるＬＥＤを照明装置の光源として用いることが可能となっている。既存の蛍光灯用の取付器具を改造することなく取替え可能なように、ＪＩＳ規格により標準化されている蛍光灯の電極ピンと同一形状の電極ピンを備え、該電極ピンからの電源供給に応じて点灯可能なように構成されたＬＥＤを光源とする照明装置が提案されている。この照明装置は、一般に、複数のＬＥＤを基板の一面に実装してなるＬＥＤモジュールを備えており、このように面光源として構成された照明装置においては、指向性がある光を発するため、前述した反射手段を有する蛍光灯と同様の問題が生じる虞があった。
【０００６】
そこで、既存の蛍光灯用の取付器具のソケットのピン穴の配置の如何に係らず、蛍光灯用の取付器具に装着することができ、光源が発する指向性のある光の出射方向を照射したい方向に一致させることが可能に構成された照明装置が提案されている(例えば、特許文献１参照)。
【特許文献１】実用新案登録第３０９７５８０号公報
【発明の開示】
【発明が解決しようとする課題】
【０００７】
特許文献１に開示された照明装置は、ＬＥＤモジュールを保持する円筒形状を有する外管体と、該外管体の両端に設けられ、蛍光灯の電極ピンと同一形状の電極ピンが取付けられた有底円筒形状の口金とを備えており、外管体と口金とを相互に軸周りに所要角度可動しうるように構成されている。これにより、ＬＥＤが発する指向性のある光の出射方向を照射したい方向に一致させることができる。
【０００８】
ところが、特許文献１に開示された照明装置は、外管体と口金とを固定する手段を備えていないため、取付器具に照明装置を装着するときに口金と外管体とが相対回転して、両端に設けられた口金の電極ピンの方向が異なってしまう虞があり、取付器具に装着しづらいという問題があった。
【０００９】
本発明は斯かる事情に鑑みてなされたものであり、既存の直管型の蛍光灯用の取付器具のソケットのピン穴の配置の如何に係らず、指向性のある光源が発する光の出射方向を照射したい方向に一致させることができると共に、上記取付器具への装着を容易にすることができる照明装置を提供することを目的とする。
【課題を解決するための手段】
【００１０】
本発明に係る照明装置は、直管型の光源用の取付具に装着される一対の口金と、該一対の口金の間に保持される直管型の光源とを備えてなる照明装置において、前記光源は、筒形状の外管体と、該外管体の内部に保持され、一方の面に指向性のある光を出射する発光体が実装された基板とを備え、前記一対の口金による前記光源の保持状態を、前記発光体が発する光の出射方向を照射したい方向に一致させるべく前記外管体を前記一対の口金に対して相対回転させて変更可能で、且つ、該照射したい方向に一致させた状態にて前記光源を前記一対の口金に固定可能とする装着手段を備え、前記外管体は、端部に閉止部を有し、前記閉止部は、前記一対の口金に対向する側の面に、前記一対の口金が有する電極に電気的に接続される円弧形状を有する接点が形成されていることを特徴とする。
【００１１】
本発明にあっては、直管型の光源用の取付具の種類に応じて、取付具に装着される一対の口金による直管型の光源の保持状態を、直管型の光源が備える筒形状の外管体の内部に保持された基板の一方の面に実装された発光体が発する指向性のある光の出射方向を照射したい方向に一致させるべく外管体の筒軸周りの異なる保持位置に変更可能とすることにより、照射したい方向に一致させた状態にて前記光源を一対の口金に固定可能とする装着手段を備えている。これにより、直管型の光源用の取付具のピン穴の配置の如何に係らず、直管型の光源が発する指向性のある光の出射方向を照射したい方向に一致させることができると共に、照明装置を取付具に装着するときには、一対の口金と光源とが相対回転しないように固定することができるから、取付具への装着を容易にすることができる。
さらに、外管体が端部に有する閉止部の一対の口金に対向する側の面に形成された円弧形状の接点を備えており、この接点の周方向長さを適切に設定することにより、一対の口金と外管体とを相対回転させたときに各口金が有する電極と接点との接触状態を維持することが可能となり、既存の直管型の蛍光灯用の取付具のピン穴の配置の如何に係らず、電気的接触を維持することができる。
【００１２】
本発明に係る照明装置は、さらに、前記装着手段は、前記一対の口金及び外管体の一方に固定された突出形状の屈曲部を有する弾性体と、他方に前記屈曲部に係合可能なように形成された複数の凹部とを備えることを特徴とする。
【００１３】
本発明にあっては、一対の口金及び外管体の一方に固定された突出形状の屈曲部を有する例えば板バネ等の弾性体を、一対の口金及び外管体の他方に形成された凹部に係合させることにより、一対の口金と外管体とを固定している。凹部を適切に予め形成することにより、既存の直管型の蛍光灯用の取付具のピン穴の配置の如何に係らず、一種類の口金により指向性のある光源が発する光の出射方向を照射したい方向に一致させて照明装置を取付具に装着することが可能となる。
【００１４】
本発明に係る照明装置は、さらに、前記装着手段は、前記一対の口金及び外管体の一方に他方へ向けて突出するように設けられた凸部と、他方に前記凸部に嵌合可能に設けられた凹部とを備えることを特徴とする。
【００１５】
本発明にあっては、一対の口金及び外管体の一方に他方に向けて突出するように設けられた凸部を、一対の口金及び外管体の他方に設けられた凹部に嵌合させることにより、一対の口金及び外管体を固定している。凸部を凹部に嵌め合わせるという簡単な方法にて一対の口金及び外管体を固定することができる。
【００２２】
本発明に係る照明装置は、さらに、前記外管体及び一対の口金は円筒形状を有しており、前記装着手段は、前記外管体の両端部の外周面に環状に形成された溝と、前記一対の口金の内周面に形成された前記溝に係合する係合突起とを備え、前記溝は、周方向の所定角度位置に深溝部を有することを特徴とする。
【００２３】
本発明にあっては、円筒形状を有する外管体の両端部の外周面に形成された環状の溝に、円筒形状を有する一対の口金の内周面に形成された係合突起を係合させることにより接離方向に相対移動しないように一対の口金及び外管体を固定すると共に、溝の周方向の所定角度位置に設けられた深溝部に前記係合突起を係合することにより相対回転しないように一対の口金及び外管体を固定している。適切な所定角度位置に深溝部を予め設けることにより、既存の直管型の蛍光灯用の取付具のソケットのピン穴の配置の如何に係らず、一種類の口金により指向性のある光源が発する光の出射方向を照射したい方向に一致させて照明装置を取付具に装着することが可能となる。
【発明の効果】
【００２８】
本発明によれば、直管型の既存の光源用の取付具のピン穴の配置の如何に係らず、直管型の光源が発する指向性のある光の出射方向を照射したい方向に一致させることができると共に、照射したい方向に一致させた状態にて前記光源を一対の口金に固定することで直管型の既存の光源用の取付具への装着を容易にすることができる。
【発明を実施するための最良の形態】
【００２９】
以下、本発明をその実施の形態を示す図面に基づいて、ＬＥＤを光源とする照明装置を例にして詳述する。
（実施の形態１）
図１は、本発明の実施の形態１に係る照明装置を示す外観斜視図であり、図２は、実施の形態１に係る照明装置の分解斜視図である。
【００３０】
図において１は、細長い円筒形をなす円筒部１ａと、該円筒部１ａの両端を閉止する閉止部１ｂ，１ｂとからなる連結体としての外管体である。外管体１の円筒部１ａは、拡散剤が添加された乳白色の樹脂により形成される。
【００３１】
外管体１の内部には、細長い矩形状のＬＥＤ基板２が保持されている。ＬＥＤ基板２は、ガラス繊維を含有するエポキシ樹脂製の平板であり、ＬＥＤ基板２の一方の面には、ＬＥＤ３，３…が実装してある。ＬＥＤ３，３…は、ＬＥＤ素子と、外気から遮断すべく、該ＬＥＤ素子を封止する封止樹脂と、入力及び出力電極とを備えてなる表面実装型ＬＥＤである。
【００３２】
ＬＥＤ基板２の他方の面には、回路基板４が取付けてある。回路基板４には、交流電流を直流電流に整流する全波整流部（図示せず）とＬＥＤ３，３…の順電流を一定にする定電流部（図示せず）とを備える電源回路部品（図示せず）が実装してある。
【００３３】
外管体１の閉止部１ｂ，１ｂは円板形状を有しており、閉止部１ｂ，１ｂには、回路基板４にリード線（図示せず）を介して接続された雄コネクタ５，５が夫々設けてある。図中に直方体にて示している雄コネクタ５，５は、閉止部１ｂ，１ｂの外面１ｃ，１ｃから該外面１ｃ，１ｃに直交する方向に外向きに突出する凸部を有する接続端子である。
【００３４】
また照明装置１０は、既存の直管型蛍光灯の取付器具に装着されるべき２つの口金６，６を備えている。口金６，６は、有底円筒形をなし、外管体１の円筒部１ａの外径より若干大きい内径を有している。口金６，６は、所定の間隔を隔てて並設された電極ピン７，７…を夫々有している。電極ピン７，７…は、既存の蛍光灯用の取付器具を改造することなく取替え可能なように、ＪＩＳ規格により標準化されている蛍光灯の電極ピンと同一形状を有している。
【００３５】
このような口金６，６の内面には、前記電極ピン７，７…に接続された雌コネクタ８，８が夫々設けてある。図中に直方体にて示している雌コネクタ８，８は、雄コネクタ５，５の凸部に嵌合可能な凹部を有する接続端子である。なお、雄コネクタ５，５及び雌コネクタ８，８からなるコネクタ構造は、それ自体公知の構造であり、詳細な説明は省略する。
【００３６】
なお、本発明における口金６，６は、従来の金属製の口金に限定されず、電極ピン及びコネクタ構造を除いた部分は金属製である必要性はなく、例えば、プラスチック製であってもよい。
【００３７】
図３は、直管型蛍光灯用の取付器具の取付具であるソケットの概略図である。図３（ａ）は、ソケットのピン穴の配置の一例を示しており、図３（ｂ）は、ソケットのピン穴の配置の他の例を示している。
【００３８】
図３（ａ）を参照して、図中、台形状にて示している７０は、直管型蛍光灯用の取付器具の一部であり、該取付器具７０は、安定器、点灯回路、照明装置を装着するための一対のソケット７１，７１等を備えるそれ自体公知の構成を有している。取付器具７０は、底辺の側にて天井に固定してある。ソケット７１には、電極ピン７，７が差し込まれる２つのピン穴７２，７２が取付器具７０の固定面７０ａに平行をなす方向に並設してある。
【００３９】
図３（ｂ）を参照して、図中７５は、直管型蛍光灯用の取付器具であり、取付器具７５はソケット７６，７６を備えている。ソケット７６には、電極ピン７，７が差し込まれる２つのピン穴７７，７７が取付器具７５の固定面７５ａに直交する方向に並設してある。
【００４０】
このような取付器具のソケット７１，７６に対応するように、口金が夫々準備されている。図４は、実施の形態１に係る照明装置１０に用いられる口金を示す概略図である。図４（ａ）は、口金６を電極ピン７，７の側から見た図であり、図４（ｂ）は、図４（ａ）のIV‐IV線による断面図である。図４（ａ）に示すように、雌コネクタ８は、長手方向を電極ピン７，７の配置方向に一致させるように口金６の内面に取付けてある。
【００４１】
図５は、実施の形態１に係る照明装置に用いられる口金の他の例を示す概略図である。図５（ａ）は、口金１６を電極ピン１７，１７の側から見た図であり、図５（ｂ）は、図５（ａ）の V‐V 線による断面図である。図５（ａ）に示すように、雌コネクタ１８は、長手方向を電極ピン１７，１７の配置方向に直交する方向に一致させるように口金１６，１６の内面に取付けてある。
【００４２】
図６は、外管体１及び口金６，６の嵌め合い部の部分拡大図である。雌コネクタ８は、図４において説明したように、長手方向が電極ピン７，７の配置方向に一致するように口金６の内面に設けてある。この口金６を、図中に白抜き矢符にて示すように、外管体１へ移動させ、雄コネクタ５に雌コネクタ８を嵌め合わせる。これにより、口金６の電極ピン７，７の配置方向は、ＬＥＤ基板２に平行をなす方向に一致することになる。
【００４３】
以上のように構成された照明装置は、図３（ａ）にて示した取付器具７０に、ＬＥＤ基板２の回路基板４が設けられた面の側が固定面７０ａの側になるように、電極ピン７，７…をピン穴７２，７２…に夫々差し込むことにより装着される。この状態にて、電源を投入したとき、電極ピン７，７…に供給された電力が雌コネクタ８，８及び雄コネクタ５，５を介して回路基板４に供給され、回路基板４にて整流された定電流がＬＥＤ基板２に供給されることになり、この電流の供給に伴いＬＥＤ３，３…が点灯し、照明装置は、取付器具７０の固定面７０ａに直交する方向、即ち床に向けて光を出射することになる。
【００４４】
一方、照明装置を装着する取付器具が図４（ｂ）にて示した取付器具７５である場合、図５にて示した口金１６，１６を外管体１に取付けて用いている。
【００４５】
以上のように、取付器具７０，７５のソケット７１，７１，７６，７６に応じて予め複数種類の口金６，６，１６，１６を準備し、装着すべき取付器具７０に適合する口金６，６を用いて、指向性のあるＬＥＤ３，３…が発する光の出射方向を照射したい方向に一致させ、雄コネクタ５，５に雌コネクタ８，８を嵌め合わせることにより口金６，６及び外管体１を固定している。これにより、取付器具のソケットのピン穴の配置の如何に係らず、指向性のあるＬＥＤ３，３…が発する光の出射方向を照射したい方向に一致させることができると共に、照明装置を取付器具７０に装着するときに、口金６，６と外管体１とを相対回転しないように固定することができるから、取付器具７０への装着を容易にすることができる。
【００４６】
また、雄コネクタ５，５及び雌コネクタ８，８は、口金６，６及び外管体１を固定すると共に、電気的に接続しているから、別途リード線等の接続手段を設ける必要がない。
【００４７】
なお、本実施の形態において、ソケットのピン穴の配置が異なる２種類の取付器具に応じた２種類の口金を用いているが、これら２種類に限定されず、取付器具の種類に応じた３種類以上の口金を用いるようにしてもよい。例えば、照射したい方向と４５°の角度をなす方向にソケットのピン穴が配置してある取付器具に対しても、適合する口金を予め準備することにより対応可能である。
【００４８】
また、矩形状の軸断面形状を有するコネクタを用いているが、この形状に限定されない。例えば、正多角形状のコネクタを、外管体１の円板形状を有する閉止部１ｂ，１ｂ及び口金６，６に同心をなして夫々設けた場合、複数種類の口金を用意する必要がなくなるため、低コストである。
【００４９】
また、本実施の形態において、外管体１の側に雄コネクタ５，５を、口金６，６の側に雌コネクタ８，８を夫々設けているが、口金６，６の側に雄コネクタを、外管体１の側に雌コネクタを夫々設けてもよい。
【００５０】
さらに、本実施の形態において、天井に固定された取付器具を例に説明したが、これに限定されず、取付器具の固定場所及び／又は方向が異なっていても、同様に適用可能である。
【００５１】
（実施の形態２）
図７は、本発明の実施の形態２に係る照明装置の分解斜視図である。
【００５２】
図において２１は、細長い円筒形をなす円筒部１ａと、該円筒部１ａの両端を閉止する閉止部２１ｂ，２１ｂとからなる外管体である。
【００５３】
図８は、外管体２１の閉止部２１ｂ，２１ｂの概略図であり、図９は、外管体２１及び口金２６の固定方法の説明図である。閉止部２１ｂは、厚肉円板形状を有しており、閉止部２１ｂの一面には、外周縁に沿うように周方向に所定角度を隔てて矩形をなす固定穴２５，２５…が複数形成してある。
【００５４】
さらに、閉止部２１ｂの一面には、固定穴２５，２５…に対応する周方向範囲に亘って円弧形状を有する接点２９，２９が形成してある。接点２９，２９の半径は、以下に述べる口金の電極ピンの中心からの距離に対応している。なお、接点２９，２９は、回路基板４にリード線（図示せず）を介して接続されている。
【００５５】
また照明装置２０は、図７に示すように、既存の直管型蛍光灯の取付器具に装着されるべき２つの口金２６，２６を備えている。口金２６，２６は、有底円筒形をなし、外管体２１の円筒部１ａの外径と略同一の外径を有している。口金２６，２６は、所定の間隔を隔てて並設された電極ピン２７，２７…を夫々有している。電極ピン２７には、図９に示すように、口金２６の内部に延びる一端の側に押さえ板２７ａが固着してあり、押さえ板２７ａと口金２６の内面との間には、ばね２７ｂが介装してある。なお、電極ピン２７，２７…は、既存の蛍光灯用の取付器具を改造することなく取替え可能なように、ＪＩＳ規格により標準化されている蛍光灯の電極ピンと同一形状を有している。
【００５６】
また、口金２６，２６には、周方向２ヶ所に軸長方向の所定長さに亘ってスリット２６ａ，２６ａ…が夫々形成してある。これらスリット２６ａ，２６ａ…には、固定穴２５，２５…と略同一形状の先端を有する固定爪２８，２８…が、該固定爪２８，２８…の先端が固定穴２５，２５…と同一径方向位置になるように、夫々差し込まれている。その他の構成は、図２に示す実施の形態１の照明装置１０と同様であるため、対応する構成部材に図２と同一の参照符号を付して、その構成及び動作の詳細な説明を省略する。
【００５７】
このように構成された口金２６は、照明装置２０が装着される取付器具に応じて、例えば、取付器具が図３（ａ）にて示した取付器具７０である場合、図８に２点鎖線にて示した位置に電極ピン２７，２７が位置するように、外管体２１との相対回転位置を定めた後、図９（ａ）に白抜き矢符にて示すように、外管体２１に向けて移動させ、外管体２１に圧着させた後、図９（ｂ）に矢符にて示すように、固定爪２８，２８を固定穴２５，２５に向けて突出させ、係合させることにより、外管体２１に固定される。これにより、口金２６の電極ピン２７，２７の配置方向は、ＬＥＤ基板２に平行をなす方向に一致し、ＬＥＤ３，３…が発する光の照射方向は、取付器具７０の固定面７０ａに直交する方向になる。
【００５８】
以上のように、取付器具のソケットのピン穴の位置に応じて予め固定穴２５，２５…を適切に外管体２１に形成して、指向性のあるＬＥＤ３，３…が発する光の出射方向を照射したい方向に一致させるように、口金２６，２６と外管体２１との相対回転位置を定めて、固定穴２５，２５…に固定爪２８，２８…を係合させることにより口金２６，２６及び外管体２１を固定しているから、既存の蛍光灯用の取付器具のソケットのピン穴の配置の如何に係らず、一種類の口金２６，２６により照明装置２０を光の出射方向を照射したい方向に一致させて取付器具に容易に装着することができる。
【００５９】
また、接点２９，２９…の周方向長さを適切に設定することにより、口金２６，２６と外管体２１とを相対回転させたときに電極ピン２７，２７…と接点２９，２９…との接触状態を維持することができ、既存の蛍光灯用の取付器具のソケットのピン穴の配置の如何に係らず、電気的接触を維持することができる。
【００６０】
さらに、口金２６，２６が外管体２１に固定されたとき、口金２６，２６の内面と押さえ板２７ａ，２７ａ…との間に介装されたばね２７ｂ，２７ｂ…により、電極ピン２７，２７…が接点２９，２９…に圧着されるから、電極ピン２７，２７…から接点２９，２９…へ安定して電力を供給することができる。また、口金２６，２６を外管体２１から取り外すときに、介装されたばね２７ｂ，２７ｂ…の復元力により、容易に口金２６，２６と外管体２１とを分離することができる。
【００６１】
（実施の形態３）
図１０は、本発明の実施の形態３に係る照明装置の分解斜視図である。
【００６２】
図において３１は、細長い円筒形をなす円筒部３１ａと、該円筒部３１ａの両端を閉止する閉止部３１ｂ，３１ｂとからなる外管体である。
【００６３】
図１１は、外管体３１の閉止部３１ｂ，３１ｂの概略図である。閉止部３１ｂは、円板形状を有しており、閉止部３１ｂの一面には、弾性体である板ばね３５が設けてある。この板ばね３５は、図１１に示すように、Ｖ字形状の屈曲部３５ａを有しており、両端を閉止部３１ｂに固着された複数（図において４つ）のピン３５ｂ，３５ｂ…にて支持されることにより、屈曲部３５ａの突出側が中心に向くように閉止部３１ｂに取付けてある。
【００６４】
さらに、閉止部３１ｂの一面には、実施の形態２の照明装置と同様に、円弧形状を有する接点３９，３９が形成してある。接点３９，３９の半径は、以下に述べる口金の電極ピンの中心からの距離に対応している。
【００６５】
また、外管体３１の円筒部３１ａの両端側の外周面には、図１０に示すように、同軸をなして環状の溝３１ｃ，３１ｃが夫々形成してある。
【００６６】
また照明装置３０は、既存の直管型蛍光灯の取付器具に装着されるべき２つの口金３６，３６を備えている。図１２は、口金３６の外観斜視図であり、図１３は、外管体３１及び口金３６の嵌め合い部の部分拡大図である。口金３６は、有底円筒形をなし、外管体３１の円筒部３１ａの外径より若干大きい内径を有している。口金３６は、所定の間隔を隔てて並設された電極ピン３７，３７を有している。口金３６の内面には、円板状をなす係合部３８が一面にて取付けてあり、係合部３８の周縁には、Ｖ字形状の複数（図において３つ）の凹部３８ａ，３８ａ…が周方向に所定角度を隔てて形成されている。なお、凹部３８ａ，３８ａ…は、板ばね３５の屈曲部３５ａと略同一形状を有している。
【００６７】
また、口金３６の内面には、図１２に示すように、溝３１ｃと略同形状の環状の突起３６ｂが同軸をなして形成してある。その他の構成は、図２に示す実施の形態１の照明装置１０と同様であるため、対応する構成部材に図２と同一の参照符号を付して、その構成及び動作の詳細な説明を省略する。
【００６８】
このように構成された口金３６は、照明装置が装着される取付器具に応じて、例えば、取付器具が図３（ｂ）にて示した取付器具７５である場合、図１１に２点鎖線にて示した位置に電極ピン３７，３７が位置するまで、外管体３１に対して相対回転させ、図１１に示すように、口金３６，３６の凹部３８ａ，３８ａ…に板ばね３５の屈曲部３５ａ，３５ａを夫々係合させることにより、外管体３１に相対回転しないように固定される。同時に、図１３に示すように、溝３１ｃに突起３６ｂが係合することにより、口金３６，３６と外管体３１とが接離方向に相対移動しないように固定される。これにより、口金３６の電極ピン３７，３７の配置方向は、ＬＥＤ基板２に直交する方向に一致し、ＬＥＤ３，３…が発する光の照射方向は、取付器具７５の固定面７５ａに直交する方向になる。
【００６９】
以上のように、取付器具のソケットのピン穴に応じて予め凹部３８ａ，３８ａ…を口金３６，３６の係合部３８，３８に夫々適切に形成しておき、指向性のあるＬＥＤ３，３…が発する光の出射方向を照射したい方向に一致させるように、口金３６，３６を外管体３１に対して相対回転させることにより、既存の蛍光灯用の取付器具のソケットのピン穴の配置の如何に係らず、一種類の口金３６，３６により照明装置を光の出射方向を照射したい方向に一致させて取付器具に容易に装着することができる。
【００７０】
なお、本実施の形態においては、板ばね３５，３５を外管体３１に取付けているが、これに限定されない。板ばね３５，３５を口金３６，３６に、係合部３８，３８を外管体３１に取付けてもよい。さらに、例えば、電極ピンを有する円板部と、該円板部に相対回転可能に外嵌される円筒部との２つに口金を分離構成し、円板部に係合部を、円筒部に板ばねを夫々取付ける構成としてもよい。
【００７１】
（実施の形態４）
図１４は、本発明の実施の形態４に係る照明装置の外管体４１及び口金４６の嵌め合い部の部分拡大図である。図１５は、図１４のXV‐XV線による外管体４１の断面図である。
【００７２】
図において４１は、細長い円筒形をなす円筒部４１ａと該円筒部４１ａの両端を閉止する閉止部４１ｂ，４１ｂとからなる外管体である。外管体４１の円筒部４１ａの両端側の外周面には、図１４に示すように、同軸をなして環状の溝４１ｃ，４１ｃが夫々形成してある。該溝４１ｃ，４１ｃは、図１５に示すように、周方向の所定角度位置（図においては、９０°，１８０°，２７０°，３６０°）に、溝４１ｃ，４１ｃの他の部分より深くなっている複数（図において４つ）の深溝部４１ｄ，４１ｄ…を有している。
【００７３】
一方、有底円筒形をなす口金４６の内面には、図１４に示すように、深溝部４１ｄ，４１ｄ…と略同一形状を有する複数（例えば、４つ）の突起４６ｂ，４６ｂ…が周方向に等配をなして形成してある。その他の構成は、図１３に示す実施の形態３の照明装置３０と同様であるため、対応する構成部材に図１３と同一の参照符号を付して、その構成及び動作の詳細な説明を省略する。
【００７４】
このように構成された口金４６は、照明装置が装着される取付器具に応じて、外管体４１に対して相対回転させ、外管体４１の深溝部４１ｄ，４１ｄ…に口金４６の突起４６ｂ，４６ｂ…を夫々係合させることにより、外管体４１に接離方向に相対移動しないように固定されると共に、相対回転しないように固定される。
【００７５】
以上のように、取付器具のソケットのピン穴に応じて予め深溝部４１ｄ，４１ｄ…を外管体４１の溝４１ｃ，４１ｃに夫々適切に形成しておき、指向性のあるＬＥＤ３，３…が発する光の出射方向を照射したい方向に一致させるように、口金４６，４６を外管体４１に対して相対回転させることにより、既存の蛍光灯用の取付器具のソケットのピン穴の配置の如何に係らず、一種類の口金４６，４６により照明装置を光の出射方向を照射したい方向に一致させて取付器具に容易に装着することができる。
【００７６】
なお、本実施の形態においては、深溝部４１ｄ，４１ｄ…及び突起４６ｂ，４６ｂ…を夫々４つ形成しているが、これに限定されない。例えば、深溝部４１ｄ，４１ｄ…及び突起４６ｂ，４６ｂ…を夫々８つ周方向に等配をなして形成することにより、照射したい方向と４５°の角度をなす方向にソケットのピン穴が配置してある取付器具に対しても対応可能である。また、突起４６ｂ，４６ｂ…は深溝部４１ｄ，４１ｄ…と同数形成する必要はない。
【００７７】
以上の実施の形態においては、雄コネクタを雌コネクタに嵌合する、又は電極ピンを接点に接触させることにより口金と外管体とを電気的に接続しているが、これに限定されず、例えば、プラグをジャックに差し込むことにより口金と外管体とを電気的に接続するプラグジャック構造を採用することができる。図１６は、外管体及び口金の嵌め合い部の部分拡大図である。
【００７８】
図において５１は、細長い円筒形をなす円筒部５１ａと該円筒部５１ａの両端を閉止する閉止部５１ｂ，５１ｂとからなる外管体である。外管体５１の閉止部５１ｂ，５１ｂは、円板形状を有しており、閉止部５１ｂ，５１ｂには、図１６に示すように、円筒形状を有するジャック５５，５５が同心をなして夫々取付けてある。なお、ジャック５５，５５は、回路基板４にリード線（図示せず）を介して接続されている。
【００７９】
一方、有底円筒形をなす口金５６，５６の内面には、図１６に示すように、略円柱形状を有するプラグ５８，５８が同心をなして取付けてある。口金５６，５６は、所定の間隔を隔てて並設された電極ピン５７，５７…を夫々有しており、これら電極ピン５７，５７…はプラグ５８，５８に夫々接続してある。なお、プラグ５８，５８及びジャック５５，５５からなるプラグジャック構造は、それ自体公知の構造であり、詳細な説明は省略する。
【００８０】
このようなプラグジャック構造においては、口金５６，５６を外管体５１に対して相対回転したときに、プラグ５８，５８とジャック５５，５５とが接触状態を維持したまま相対回転するから、既存の蛍光灯用の取付器具のソケットのピン穴の配置の如何に係らず、電気的接触を維持することができる。また、相対回転する角度が３６０°であり、連続的に相対回転可能であるため、所望の角度への照射が行いやすい。照射方向はプラグ５８，５８及びジャック５５，５５間の擦り接触により固定される。
【００８１】
なお、プラグジャック構造を採用した場合における口金５６，５６と外管体５１との固定方法（装着方法）は、上述の擦り接触による固定だけに限られず、前述した実施の形態２乃至４の照明装置における固定方法を適用することも可能である。さらに、口金５６，５６の内面及び外管体５１の閉止部５１ｂ，５１ｂの外面に夫々、軸縦断面形状が正多角形状の筒体（図示せず）を同心をなして設け、これら筒体を嵌合させることにより、口金５６，５６と外管体５１とを固定するように構成してもよい。この場合、これら固定用の筒体の形状は、既存の蛍光灯用の取付器具のソケットのピン穴の配置の如何に係らず、一種類の口金により対応可能なように適切に設定されることが望ましい。
【００８２】
なお、実施の形態３において、口金３６，３６及び外管体３１が接離方向に相対移動しないように、外管体３１の外周面に溝３１ｃを設け、この溝３１ｃに口金３６，３６の内面に設けた突起３６ｂを係合させる構造を採用しているが、本固定構造は、他の実施の形態において適用可能である。
【００８３】
さらに、以上の実施の形態において、照明装置の光源を保持する連結体として、円筒形状の筒体を用いているが、これに限定されず、例えば、軸断面形状が長方形状であってもよいし、正多角形状であってもよく、様々な形状が考えられる。
【００８４】
また、以上の実施の形態において、照明装置は直管型蛍光灯用の取付具であるソケットに装着される場合を例に挙げたが、これに限定されず、例えば、白熱電球等の球型光源用の取付具に装着されるような構成としてもよい。
【００８５】
そして、以上の実施の形態において、口金は、所定の間隔を隔てて並設された電極ピンを備え、該電極ピンより電力が供給される場合を例に説明したが、これに限定されず、例えば、電極ピンは絶縁物で構成され、機械的接続によって口金を保持するものであって、電気的接続は、別途電力供給手段を構成に加え、外部から電力を供給するとしてもよいし、乾電池や太陽電池等の電力供給手段を内部に備えてもよい。
【００８６】
さらに、以上の実施の形態において、照明装置の光源としてＬＥＤを例に説明したが、これに限定されず、ＥＬ（Ｅｌｅｃｔｒｏ  Ｌｕｍｉｎｅｓｃｅｎｃｅ）、反射手段を有する蛍光灯等の指向性のある光を出射する照明装置にも適用可能であり、その他、特許請求の範囲に記載した事項の範囲内において種々変更した形態にて実施することが可能であることは言うまでもない。
【図面の簡単な説明】
【００８７】
【図１】本発明の実施の形態１に係る照明装置を示す外観斜視図である。
【図２】実施の形態１に係る照明装置の分解斜視図である。
【図３】直管型蛍光灯用の取付器具の取付具であるソケットの概略図である。
【図４】実施の形態１に係る照明装置に用いられる口金を示す概略図である。
【図５】実施の形態１に係る照明装置に用いられる口金の他の例を示す概略図である。
【図６】外管体及び口金の嵌め合い部の部分拡大図である。
【図７】本発明の実施の形態２に係る照明装置の分解斜視図である。
【図８】外管体の閉止部の概略図である。
【図９】外管体及び口金の固定方法の説明図である。
【図１０】本発明の実施の形態３に係る照明装置の分解斜視図である。
【図１１】外管体の閉止部の概略図である。
【図１２】口金の外観斜視図である。
【図１３】外管体及び口金の嵌め合い部の部分拡大図である。
【図１４】本発明の実施の形態４に係る照明装置の外管体及び口金の嵌め合い部の部分拡大図である。
【図１５】図１４のXV‐XV線による外管体の断面図である。
【図１６】外管体及び口金の嵌め合い部の部分拡大図である。
【符号の説明】
【００８８】
１，２１，３１，４１，５１  外管体（連結体）
３  ＬＥＤ（光源）
５  雄コネクタ（装着手段）
２５  固定穴（装着手段）
３５  弾性体（装着手段）
６，１６，２６，３６，４６，５６  口金
７，１７，２７，３７，４７，５７  電極ピン
８  雌コネクタ（装着手段）
２８  固定爪（装着手段）
３８ａ  凹部
９，１９，２９，３９，４９，５９  接点
【図１】
0005142620.tif 000002
【図２】
0005142620.tif 000003
【図３】
0005142620.tif 000004
【図４】
0005142620.tif 000005
【図５】
0005142620.tif 000006
【図６】
0005142620.tif 000007
【図７】
0005142620.tif 000008
【図８】
0005142620.tif 000009
【図９】
0005142620.tif 000010
【図１０】
0005142620.tif 000011
【図１１】
0005142620.tif 000012
【図１２】
0005142620.tif 000013
【図１３】
0005142620.tif 000014
【図１４】
0005142620.tif 000015
【図１５】
0005142620.tif 000016
【図１６】
0005142620.tif 000017